(57)【要約】【課題】スプリングマットレスにおいて、利用者の好みにより表裏面で使い分けが可能であり、夏の暑く苦しい状態での寝心地の向上をはかることである。【解決手段】多数のコイルスプリングを配置してスプリングユニットを形成し、スプリングユニットに重合された半硬質の保護層とで第１のクッション体を構成し、第１のクッション体の一方面側には低反発弾性体でなる第２のクッション体が設けられ、他方面側には比較的硬質のウレタンフォームでなる第３のクッション体が設けられ、上記第１、第２、第３のクッション体を外装体で被覆しており、外装体は、三層立体布地を外面にして樹脂綿と裏地とを重合して一体にキルティング縫合した第１の鏡部と、表地と樹脂綿と裏地とを重合して一体にキルティング縫合した第２の鏡部と、マチ部との各端部をエッジテープで縫合して形成してなる。【選択図】図１
2005110872.tif 000002
【特許請求の範囲】
【請求項１】
多数のコイルスプリングを行列状に配置し、隣接するコイルスプリングの上下端面をヘリカルスプリングで連結し、さらに上下面の周縁部には枠線を設けたスプリングユニットを形成し、該スプリングユニットの上下面に重合された半硬質の保護層とで第１のクッション体１を構成し、
第１のクッション体１の一方面側には多数の貫通孔２１を有し低反発弾性材でなる第２のクッション体２が設けられ、他方面側には樹脂綿４１２，４２２よりも硬い発泡ウレタンフォームでなる第３のクッション体３が設けられ、
上記第１、第２、第３のクッション体を外装体４で被覆しており、外装体４は、表面に配置した三層立体布地４１１と樹脂綿と裏地とを重合して一体にキルティング縫合した第１の鏡部４１と、表地と樹脂綿と裏地とを重合して一体にキルティング縫合した第２の鏡部４２とでなり、
低反発弾性材でなる第２のクッション体２と三層立体布地４１１は、第１のクッション体１の同じ面に設けてあり、上記第１、第２の鏡部とマチ部の端部をエッジテープで縫合して形成したことを特徴とするマットレス装置。
【発明の詳細な説明】
【技術分野】
【０００１】
本発明は、マットレス装置の表裏面の構造、性能を異にして、一方面側が通気性がよく涼しい感触を与えると共に衝撃に対して吸収性能が良く、体圧分散にすぐれており、他方面側が反発力が高いスプリングマットレスに関するものである。
【背景技術】
【０００２】
一般にマットレス装置は、スプリングユニットを有し、このスプリングユニットの上下面にサイザルパッドや硬綿からなる保護層とウレタンフォームや綿などの利用者の感触を良好にし,保温の役目のある弾性層を重合し、この重合体を外装体で被覆して構成されている。
【０００３】
しかし、一般にスプリングマットレスの問題点として、利用者の重たい部分，例えば臀部がスプリングユニットを変形させて沈むために、その部分で反発力が発生することになることであり、寝たきりの利用者には臀部や突出した部位には床ずれが発生しやすくなるものである。
【０００４】
上記問題点の床ずれの改善策として、上記弾性層に荷重に対し反発力は発生しにくい低反発ウレタンフォーム、発泡ゴムなどの反発力の小さい発泡弾性材を用いることが検討されている。この低反発の発泡弾性材は利用者の体重が加わると、身体の凹凸に応じて緩やかに沈んで身体を支持するために利用者の重たい部分に反発力が集中しがたく体圧を分散させる効果がある。その結果、寝たきりの人には床ずれが発生しにくい利点がある。
【０００５】
しかしながら、低反発の発泡弾性材料,例えば低反発ウレタンフォームは、保温性が良い反面、綿やサイザルに比較すると通気性に難があり、利用者の背部の位置で、材料表面に湿気と熱がこもるおそれがあり、これが床ずれ発生の一因にもなった。
【０００６】
ところで、一般的なマットレスを通気性を良好にするものとして、マットレスの鏡面に三層立体布地を外装体として採用するものが知られている。この三層立体布地は上面メッシュと下面メッシュとを連結糸で内部空間を有するように形成されたものである。
【特許文献１】実用新案登録第２５４１１４８号公報
【発明の開示】
【発明が解決しようとする課題】
【０００７】
解決しようとする問題点は、マットレス装置の表裏面のうち、一方面側が通気性がよく涼しい感触を与えると共に衝撃に対して吸収性能、体圧分散にすぐれており、利用者の体型に応じて支持する柔軟なクッション性能を提供し、他方面側が反発力が高いクッション性能を提供する。
【課題を解決するための手段】
【０００８】
本発明は、スプリングマットレスにおいて、外装体の一面の鏡部に三層立体布地を使用し、この三層立体布地と第２のクッション体としての低反発弾性材を組み合わせたことと、他面側の第３のクッション体に比較的硬質の発泡ウレタンフォームを採用したことを特徴とする。
【発明の効果】
【０００９】
本発明のマットレス装置は、外装体の一方面の鏡部には立体メッシュ編物でなる三層立体布地を使用すると共に多数の貫通孔を設けた低反発材料を採用したから通気性を良好にして夏には涼しく、低反発弾性材を使用したことにより体圧分散がを行い、夏の時期には涼しく且つ体圧分散性能のよく、硬めの感触を好む利用者にも対応できるマットレス装置を提案できる利点がある。
【発明を実施するための最良の形態】
【００１０】
床ずれの発生予防と利用者の好みに応じて寝心地を選択できるマットレス装置を、三層立体布地と低反発弾性材、および硬めの発泡弾性材とにより実現した。
【００１１】
以下図面を参照しながらこの発明の一実施の形態を説明する。図１は、本発明によるマットレス装置の斜視図で一部を切り欠いて内部構造を示している。このマットレス装置はスプリングユニット１１と保護層１２でなる第１のクッション体１と、第１のクッション体の面上に設けた低反発の発泡ウレタンフォームでなる第２のクッション体２と、比較的硬質の発泡弾性材でなる第３のクッション体３と、第２のクッション体２の側に三層立体布地と樹脂綿と裏地を重合して一体にキルティング縫合した第１の鏡部４１を配置しており、表地４２１と樹脂綿４２２と裏地４２３とを重合して一体にキルティング縫合した第２の鏡部４２と、第１、第２の鏡部に縫合されたマチ部４３でなる外装体４を有する。
【００１２】
スプリングユニット１１は、図２、図３に示すように、多数のコイルスプリング１１１を行列状に配置した連続スプリングで、隣り合うコイルスプリング１１１同士をそのスプリング一端を相互に絡み合わせて結合し、コイルスプリング１１１の上下端面部をそれぞれヘリカルスプリング１１２によって結合し、結合した多数のコイルスプリング１１１の集合体の上下面周縁部には周辺部を補強したり、形状を維持するために硬い線材に形成された枠線１１３を設けている。
【００１３】
スプリングユニット１１の上下面には硬綿,サイザル繊維の半硬質材料でなる保護層１２が重合されており、端部ではクリップで枠線１１３またはコイルスプリング１１１の端部に固定している。
【００１４】
外装体４は、第１の鏡部４１、第２の鏡部４２とマチ部４３の端部を稜角部で合掌させてエッジテープ４４で被覆し縫合して全体を箱状に縫製したもので、第１の鏡部４１は第２のクッション体２側に位置しており、三層立体布地４１１を外面側にして樹脂綿４１２と裏地４１３とを一体的にキルティング縫合している。
【００１５】
三層立体布地４１１は上面メッシュ地４１１ａと下面メッシュ地４１１ｂとを布地厚さ方向に平行な連結糸４１１ｃによって適当な間隔を隔てて一体になるように連結し、各メッシュ地間に空間４１１ｄを形成した三層立体構造をなしている。上面メッシュ地４１１ａは菱形のループ状網目列に形成され、下面メッシュ地４１１ｂはすのこ状に形成されたものが用いられる。この三層立体布地４１１は吸湿性の良いコットン材料が使用されている。
【００１６】
第３のクッション体３は比較的硬質の発泡ウレタンフォームでなり、樹脂綿４１２、４２２よりも硬く、その比重は３０ｋｇ／立方メートルであり、通常に保温材として使用される発泡ウレタンフォームの倍程度の硬さである。第２の鏡部４２は第３のクッション体３側で表地４２１と樹脂綿４２２と裏地４２３とを一体的にキルティング縫合している。
【００１７】
上記第２のクッション体２は、低反発弾性材として低反発ウレタンフォームを採用し、厚さ方向に多数の貫通孔２１を設けている。この貫通孔２１は外装体４とスプリングユニット１１との通気を良好にすることに寄与している。三層立体布地４１１の通気性の効果と相俟って、マットレス装置の一方面を夏の暑い時期も爽快感を与えることができる。この低反発ウレタンフォームの厚さは第１のクッション体であるスプリングユニット１１の二分の一程度の厚さを有して利用者の体型に沿って支持している。
【００１８】
この実施例では低反発の発泡弾性材として低反発ウレタンフォームを使用しているが、低反発のゴム発泡体であってもよい。
【図面の簡単な説明】
【００１９】
【図１】本発明に係るマットレスの一部を切り欠いて示す斜視図である。
【図２】本発明に係るマットレスの一部の断面図である。
【図３】本発明に係るマットレスの断面図である。
【図４】三層立体布地の一部の斜視図である。
【符号の説明】
【００２０】
１…        第１のクッション体
１１…      スプリングユニット
１１１…    コイルスプリング
１１２…    ヘリカルスプリング
１１３…    枠線
１２…      保護層
２…        第２のクッション体
２１…      貫通孔
３…        第３のクッション体
４…        外装体
４１…      第１の鏡部
４１１…    三層立体布地
４１１ａ…  上面メッシュ地
４１１ｂ…  下面メッシュ地
４１１ｃ…  連結糸
４１１ｄ…  空間
４２…      第２の鏡部
４２１…    表地
４２２…    樹脂綿
４２３…    裏地
４３…      マチ部
４４…      エッジテープ
【図１】
2005110872.tif 000003
【図２】
2005110872.tif 000004
【図３】
2005110872.tif 000005
【図４】
2005110872.tif 000006